(57)【要約】【課題】水分放出領域を通過する空気が比較的低温であっても良好に水分を放出することができ、省エネルギー化を図ることができる除湿器を提供すること。【解決手段】混抄紙を加工してなる円板状の水分吸着体１１１を有し、区画された水分吸着領域（１２４）と水分放出領域（１３４）との間を水分吸着体１１１が循環移動することにより水分吸着領域（１２４）を通過する空気の水分を吸着する一方、水分放出領域（１３４）を通過する空気に水分を放出する除湿器（１１０）において、混抄紙は、カチオンがランタノイドに置換されたゼオライトおよび表面がヒドロキシル基に置換された活性炭の少なくとも一つの吸湿性粒子を含有してなるものである。【選択図】        図２
2008086870.tif 000002
【特許請求の範囲】
【請求項１】
混抄紙を加工してなる円板状の水分吸着体を有し、区画された水分吸着領域と水分放出領域との間を前記水分吸着体が循環移動することにより前記水分吸着領域を通過する空気の水分を吸着する一方、前記水分放出領域を通過する空気に水分を放出する除湿器において、
前記混抄紙は、カチオンがランタノイドに置換されたゼオライトおよび表面がヒドロキシル基に置換された活性炭の少なくとも一つの吸湿性粒子を含有してなることを特徴とする除湿器。
【請求項２】
前記混抄紙は、前記吸湿性粒子と有機繊維とが混合されたスラリーを抄紙して形成されてなることを特徴とする請求項１に記載の除湿器。
【請求項３】
前記水分吸着体は、前記混抄紙を加工してコルゲートハニカム状に形成されてなることを特徴とする請求項１または請求項２に記載の除湿器。
【請求項４】
前記吸湿性粒子は、平均粒子径が１０μｍ以上１００μｍ以下であることを特徴とする請求項１〜３のいずれか一つに記載の除湿器。
【請求項５】
前記吸湿性粒子は、前記スラリーの固形分中における配合割合が７０質量％以下であることを特徴とする請求項２〜４のいずれか一つに記載の除湿器。
【請求項６】
前記混抄紙は、厚みが５００μｍ以下であることを特徴とする請求項１〜５のいずれか一つに記載の除湿器。
【請求項７】
前記混抄紙は、１ｍ2当たりの重さが２００ｇ以下であることを特徴とする請求項１〜６のいずれか一つに記載の除湿器。
【発明の詳細な説明】
【技術分野】
【０００１】
本発明は、除湿器に関し、より詳細には、例えばスーパーマーケット、コンビニエンスストア、ショッピングセンター等の店舗に適用される除湿空調装置を構成する除湿器に関する。
【背景技術】
【０００２】
従来、例えばスーパーマーケット、コンビニエンスストア、ショッピングセンター等の店舗等に適用される除湿空調装置として、除湿器、除湿処理ユニットおよび再生処理ユニットを備えたものが知られている。
【０００３】
除湿器は、除湿ロータと称されるものであり、円板状の水分吸着体がその中心軸を軸心として軸心回りに回転可能に設けられて構成されている。この除湿器は、区画された水分吸着領域と水分放出領域との間を水分吸着体の一部が交互に通過する態様で回転する。このように水分吸着体が回転すると、水分吸着領域に位置した部分は水分放出領域に移動し、次いで再び水分吸着領域に移動することを順次繰り返す。ここに、水分吸着領域および水分放出領域は、ともに空気の流路を構成する所定領域である。
【０００４】
除湿処理ユニットは、例えば外気等の空気を取り入れ、取り入れた空気を水分吸着領域に通過させることにより、通過する空気の水分を除湿器の水分吸着体に吸着させて該空気を除湿し、かかる水分吸着領域を通過した空気を対象室内に導入するものである。
【０００５】
再生処理ユニットは、例えば外気等の再生空気を取り入れ、取り入れた再生空気を加熱器で加熱し、加熱した空気を水分放出領域に通過させることにより、除湿器の水分吸着体に水分を放出させて該水分吸着体を乾燥し、かかる水分放出領域を通過した空気を外部に放出するものである。
【０００６】
上記除湿器を構成する水分吸着体としては、セラミックス繊維やガラス繊維等の無機繊維と、木材パルプ等の有機繊維と、各種バインダとを混合してなる混抄紙を、ゼオライトやシリカゲル等の吸湿性能を有する粒子が配合されたスラリー中に含浸させ、その後焼成することにより製造されたもの、あるいはゼオライト粉末を４．０〜６．０％含有するゼオライト−アスベスト繊維混抄紙を加工して製造されたものが知られている（例えば、特許文献１および特許文献２参照）。
【０００７】
【特許文献１】特開２００５−１１１３３１号公報
【特許文献２】特開昭５４−１３７１６２号公報
【発明の開示】
【発明が解決しようとする課題】
【０００８】
このような除湿器では、吸湿性能を有する粒子としてゼオライトやシリカゲル等が用いられているために、水分吸着領域を通過する空気の水分を良好に吸着することができるものの、水分放出領域で水分を良好に放出させるためには、加熱器で例えば２００〜３００℃程度の比較的高い温度に加熱した空気を通過させる必要があった。
【０００９】
本発明は、上記実情に鑑みて、水分放出領域を通過する空気が比較的低温であっても良好に水分を放出することができ、省エネルギー化を図ることができる除湿器を提供することを目的とする。
【課題を解決するための手段】
【００１０】
上記目的を達成するために、本発明の請求項１に係る除湿器は、混抄紙を加工してなる円板状の水分吸着体を有し、区画された水分吸着領域と水分放出領域との間を前記水分吸着体が循環移動することにより前記水分吸着領域を通過する空気の水分を吸着する一方、前記水分放出領域を通過する空気に水分を放出する除湿器において、前記混抄紙は、カチオンがランタノイドに置換されたゼオライトおよび表面がヒドロキシル基に置換された活性炭の少なくとも一つの吸湿性粒子を含有してなることを特徴とする。
【００１１】
また、本発明の請求項２に係る除湿器は、上述した請求項１において、前記混抄紙は、前記吸湿性粒子と有機繊維とが混合されたスラリーを抄紙して形成されてなることを特徴とする。
【００１２】
また、本発明の請求項３に係る除湿器は、上述した請求項１または請求項２において、前記水分吸着体は、前記混抄紙を加工してコルゲートハニカム状に形成されてなることを特徴とする。
【００１３】
また、本発明の請求項４に係る除湿器は、上述した請求項１〜３のいずれか一つにおいて、前記吸湿性粒子は、平均粒子径が１０μｍ以上１００μｍ以下であることを特徴とする。
【００１４】
また、本発明の請求項５に係る除湿器は、上述した請求項２〜４のいずれか一つにおいて、前記吸湿性粒子は、前記スラリーの固形分中における配合割合が７０質量％以下であることを特徴とする。
【００１５】
また、本発明の請求項６に係る除湿器は、上述した請求項１〜５のいずれか一つにおいて、前記混抄紙は、厚みが５００μｍ以下であることを特徴とする。
【００１６】
また、本発明の請求項７に係る除湿器は、上述した請求項１〜６のいずれか一つにおいて、前記混抄紙は、１ｍ2当たりの重さが２００ｇ以下であることを特徴とする。
【発明の効果】
【００１７】
本発明によれば、水分吸着体が、カチオンがランタノイドに置換されたゼオライトおよび表面がヒドロキシル基に置換された活性炭の少なくとも一つの吸湿性粒子を含有してなる混抄紙を加工して構成されているので、水分吸着領域を通過する空気の水分を良好に吸着しながら、水分放出領域を通過する空気が比較的低温であっても良好に水分を放出することができ、これにより、省エネルギー化を図ることができるという効果を奏する。
【発明を実施するための最良の形態】
【００１８】
以下に添付図面を参照して、本発明に係る除湿器の好適な実施の形態について詳細に説明する。尚、例えばスーパーマーケット、コンビニエンスストア、ショッピングセンター等の店舗に適用される除湿空調装置を構成する除湿器について説明する。
【００１９】
図１は、本発明の実施の形態における除湿器を備える除湿空調装置の構成を模式的に示したものである。ここに例示する除湿空調装置１００は、店舗１の内部への外気導入による換気、除湿および空気調和を行うものである。上記店舗１には、空調室内器２および冷凍冷蔵機器６が設けてある。
【００２０】
空調室内器２は、圧縮機３、凝縮器４および膨張弁５と冷媒配管を通じて接続されて冷媒循環回路Ｌ１を形成している。圧縮機３は、冷媒を圧縮して高温高圧の状態にするものである。凝縮器４は、圧縮機３より供給された冷媒、すなわち圧縮機３で高温高圧の状態に圧縮された冷媒を凝縮させて液化するものである。膨張弁５は、凝縮器４より供給された冷媒、すなわち凝縮器４で凝縮させた冷媒を断熱膨張させる、つまり該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。
【００２１】
このような冷媒循環回路Ｌ１では、圧縮機３で圧縮された冷媒が、凝縮器４で凝縮した後、膨張弁５に至る。膨張弁５に至った冷媒は、該膨張弁５で減圧されて断熱膨張し、低温低圧の状態になり、空調室内器２に送出される。空調室内器２に送出された冷媒は、該空調室内器２の周辺領域から熱を与えられて蒸発し、その後、圧縮機３に帰還する。つまり、冷媒は、冷媒循環回路Ｌ１を循環する。冷媒が冷媒循環回路Ｌ１を循環することにより、空調室内器２の周辺領域、すなわち店舗１の内部雰囲気は、冷媒が蒸発することにより熱を奪われて冷却される。
【００２２】
冷凍冷蔵機器６は、例えばショーケース（図示せず）のようなものであり、内部に陳列された商品等を冷却するためのものである。この冷凍冷蔵機器６には、蒸発器７が内蔵されており、かかる蒸発器７は、圧縮機８、凝縮器９および膨張弁１０と冷媒配管を通じて接続されて冷媒循環回路Ｌ２を形成している。圧縮機８は、冷媒を圧縮して高温高圧の状態にするものである。凝縮器９は、圧縮機８より供給された冷媒、すなわち圧縮機８で高温高圧の状態に圧縮された冷媒を凝縮させて液化するものである。膨張弁１０は、凝縮器９より供給された冷媒、すなわち凝縮器９で凝縮させた冷媒を断熱膨張させる、つまり該冷媒を減圧して低温低圧の状態に調整するものである。蒸発器７は、膨張弁１０で低温低圧の状態に断熱膨張させた冷媒を所定の流路内で蒸発させるものである。この冷媒が蒸発することにより、冷凍冷蔵機器６の内部に陳列された商品等は、熱が奪われて冷却される。
【００２３】
このような冷媒循環回路Ｌ２では、圧縮機８で圧縮された冷媒が、凝縮器９で凝縮した後、膨張弁１０に至る。膨張弁１０に至った冷媒は、該膨張弁１０で減圧されて断熱膨張し、低温低圧の状態になり、蒸発器７に送出される。蒸発器７に送出された冷媒は、該蒸発器７の周辺領域から熱を与えられて蒸発し、その後、圧縮機８に帰還する。つまり、冷媒は、冷媒循環回路Ｌ２を循環する。冷媒が冷媒循環回路Ｌ２を循環することにより、蒸発器７の周辺領域、すなわち陳列された商品等は、冷媒が蒸発することにより熱を奪われて冷却される。
【００２４】
そのような店舗１に適用される除湿空調装置１００は、除湿器１１０、除湿処理ユニット１２０および再生処理ユニット１３０を備えて構成してある。
【００２５】
除湿器１１０は、除湿ロータと称されるものであり、円板状の水分吸着体１１１がその中心軸を軸心として軸心回りに回転可能に設けられて構成してある。この除湿器１１０は、区画された水分吸着領域１２４と水分放出領域１３４との間を水分吸着体１１１が循環移動、つまり区画された水分吸着領域１２４と水分放出領域１３４との間を水分吸着体１１１の一部が交互に通過する態様で回転する。このように水分吸着体１１１が回転すると、水分吸着領域１２４に位置した部分は水分放出領域１３４に移動し、次いで再び水分吸着領域１２４に移動することを順次繰り返す。かかる水分吸着体１１１の詳細については後述する。
【００２６】
除湿処理ユニット１２０は、導入した外気（空気）を除湿して店舗１の内部に導入するためのものであり、除湿処理経路１２０ａを有している。
【００２７】
除湿処理経路１２０ａは、外気取入口１２１から取り入れた外気（空気）を、空気吐出口１２２を通じて店舗１の内部に導くための経路であり、冷却器１２３、上記水分吸着領域１２４および除湿処理ファン１２５が外気取入口１２１側から順に設けてある。
【００２８】
冷却器１２３は、外気取入口１２１を通じて取り入れた空気を冷却するものである。この冷却器１２３は、圧縮機１２６、凝縮器１２７および電子膨張弁１２８と冷媒配管を通じて接続されて冷媒循環回路Ｌ３を形成している。より詳細に説明すると、圧縮機１２６は、冷媒を圧縮して高温高圧の状態にするものである。凝縮器１２７は、圧縮機１２６より供給された冷媒、すなわち圧縮機１２６で高温高圧の状態に圧縮された冷媒を凝縮（放熱）させて液化するものである。電子膨張弁１２８は、凝縮器１２７より供給された冷媒、すなわち凝縮器１２７で放熱させた冷媒を断熱膨張させる、つまり該冷媒を減圧して低温低圧の状態に調整するものである。冷却器１２３は、電子膨張弁１２８で低温低圧の状態に断熱膨張させた冷媒を蒸発させるものである。この冷媒が蒸発することにより、冷却器１２３の周辺を通過する空気は、熱が奪われて冷却される。冷媒配管を通じて、このような圧縮機１２６、凝縮器１２７、電子膨張弁１２８および冷却器１２３を順次接続することにより上記冷媒循環回路Ｌ３を形成している。
【００２９】
水分吸着領域１２４は、通過する空気の水分を水分吸着体１１１に吸着させる所定領域である。これにより、冷却器１２３で冷却された空気は、水分吸着領域１２４で除湿される。
【００３０】
除湿処理ファン１２５は、店舗１の内部に空気を導入するための送風源となるものである。したがって、除湿処理ファン１２５により送風された空気は、空気吐出口１２２を通じて店舗１の内部に供給される。
【００３１】
上記除湿処理経路１２０ａには、還気取入口１２９が設けてある。還気取入口１２９は、上記水分吸着領域１２４の下流側となる該水分吸着領域１２４と除湿処理ファン１２５との間に設けてあり、還気導入経路Ｒ１を通じて店舗１の内部の空気を取り入れるための開口である。この還気導入経路Ｒ１は、店舗１の内部に設けられた空気取入口（図示せず）を通じて該店舗１の内部の空気を取り入れ、還気取入口１２９まで移送するための経路である。
【００３２】
再生処理ユニット１３０は、導入した外気（空気）を加熱して、上記水分放出領域１３４に通過させることにより、該除湿器１１０を構成する水分吸着体１１１に水分を放出させるものであり、再生処理経路１３０ａを有している。
【００３３】
再生処理経路１３０ａは、除湿処理経路１２０ａに並設してあり、再生空気取入口１３１から取り入れた再生空気（外気）を、再生空気吐出口１３２を通じて外部に送出するための経路であり、加熱器１３３、上記水分放出領域１３４および再生ファン１３５が再生空気取入口１３１側から順に設けてある。
【００３４】
加熱器１３３は、再生空気取入口１３１を通じて取り入れた空気を加熱するものである。この加熱器１３３は、配管を通じて加熱源１３６およびポンプ１３７に接続することにより、例えば湯等の熱媒体が循環する熱媒体循環回路Ｌ４を形成している。加熱源１３６は、熱媒体循環回路Ｌ４を流れる湯を加熱するものである。ポンプ１３７は、湯が熱媒体循環回路Ｌ４を流れるための動力源となるものである。加熱源１３６で加熱された湯がポンプ１３７の作用によって熱媒体循環回路Ｌ４を流れることにより、加熱器１３３の周辺を通過する空気（再生空気）は加熱される。
【００３５】
水分放出領域１３４は、加熱器１３３で加熱された空気が通過することにより、水分吸着体１１１に水分を放出させて乾燥させるための所定領域である。再生ファン１３５は、水分放出領域１３４を通過した空気を再生空気吐出口１３２を通じて外部に送出するものであり、再生空気を送風する送風源となる。
【００３６】
次に、上記除湿器１１０を構成する水分吸着体１１１について説明する。図２は、図１における除湿器の要部（水分吸着体）の一部を拡大して示したものである。この図２に示すように、水分吸着体１１１は、上述したように円板状の形態を成しており、コルゲートハニカム状の構造、すなわち段ボール積層体の構造を有している。このような水分吸着体１１１は、混抄紙を加工して形成されている。
【００３７】
混抄紙は、カチオンがランタノイドに置換されたゼオライトおよび表面がヒドロキシル基に置換された活性炭の少なくとも一つの吸湿性粒子を含有してなるものであり、より詳細には、該吸湿性粒子と、例えば木材パルプのような有機繊維と、その他所望のバインダ樹脂や水等とを混合してなるスラリーを抄紙して形成したものである。
【００３８】
ここで、吸湿性粒子について詳細に述べる。本実施の形態におけるゼオライト（以下、吸湿性粒子Ａとも称する）は、カチオンであるナトリウム（Ｎａ）を例えばランタン（Ｌａ）を主体とするランタノイドで置換した構造を有するものであり、構造式として、Ｍ2/nＯ・Ａｌ2Ｏ3・ｘＳｉＯ2・ｙＨ2Ｏ（Ｍはランタノイド）の式を有するものである。本発明におけて、ゼオライトのカチオンであるナトリウムを置換するランタノイドとしては、その中から選択された一種または複数種の元素を使用することができる。
【００３９】
一方、本実施の形態における活性炭（以下、吸湿性粒子Ｂとも称する）は、表面がヒドロキシル基（水酸基）に置換された構造を有するものであり、これは、活性炭を酸処理、例えば活性炭を水酸化カリウム（ＫＯＨ）溶液中に浸漬させて煮沸することにより得ることができる。
【００４０】
そして、このような吸湿性粒子は、平均粒子径が１０μｍ以上１００μｍ以下であり、上記スラリーの固形分中における配合割合が７０質量％以下、特に４０質量％以上６０質量％以下であることが紙としての均質性を確保する観点から好ましい。
【００４１】
上記混抄紙は、厚みが５００μｍ以下であり、特に５０μｍ以上５００μｍ以下であることが水分吸着体１１１の加工性の観点より好ましく、目付け、すなわち１ｍ2当たりの重さが２００ｇ以下であり、特に５０ｇ以上１５０ｇ以下であることが吸湿性粒子の配合割合に対応して好ましい。
【００４２】
次に、吸湿性粒子（吸湿性粒子Ａおよび吸湿性粒子Ｂ）の吸湿特性についての実験結果について述べる。図３〜図５は、それぞれ吸湿性粒子の吸湿特性についての実験結果を示す図表であり、図３は、吸湿性粒子の吸湿率および放湿温度に関する評価、図４および図５は、吸湿速度に関する評価である。
【００４３】
まず、吸湿性粒子の吸湿率および放湿温度に関する評価について説明する。吸湿性粒子から成る吸湿材をアルミニウム（Ａｌ）製試料容器に５ｍｇ投入し、２０℃９５％ＲＨ（相対湿度９５％雰囲気で温度が２０℃）の恒湿槽内に３時間以上放置して吸湿させ、吸湿材の質量を測定して、吸湿率および放湿温度（乾燥開始温度および乾燥終了温度）を測定して図３を得た。ここで、吸湿率および放湿温度を測定するための熱分析機器として、ＤＳＣ（示差走査熱量計）「ＤＳＣ６２００」（セイコーインスツルメンツ社製）およびＴＧ−ＤＴＡ（示差熱熱重量同時測定装置：セイコーインスツルメンツ社製）を用いた。
【００４４】
図３に示された結果より、吸湿性粒子Ａおよび吸湿性粒子Ｂとも乾燥終了温度が１１２℃以下と低く、特に吸湿性粒子Ｂは乾燥終了温度が８６℃と極めて低いことが明らかである。
【００４５】
次に、吸湿性粒子の吸湿速度に関する評価について説明する。吸湿性粒子から成る吸湿材をマクベインべーカーバランスで、２０〜３３℃６０％ＲＨ（相対湿度６０％雰囲気で温度が２０〜３３℃）、２５℃３０〜９０％ＲＨ（相対湿度３０〜９０％雰囲気で温度が２５℃）に放置して０〜１５分間の吸湿速度（ｗｔ％／ｍｉｎ）を求めて図４および図５を得た。
【００４６】
図４および図５に示された結果より、吸湿性粒子Ａの吸湿速度が大きいことが明らかである。
【００４７】
このような実験結果により、吸湿性粒子Ａを含有することにより、吸湿速度を大きくすることができ、しかも放湿温度を低くすることが可能であることが理解され、吸湿性粒子Ｂを含有することにより、放湿速度を極めて低くすることが可能であることが理解される。
【００４８】
以上のような構成を有する除湿空調装置１００は、次のようにして店舗１の内部を換気、除湿する。
【００４９】
運転指令が発せられ、圧縮機１２６、除湿処理ファン１２５、加熱源１３６、ポンプ１３７および再生ファン１３５のそれぞれが駆動すると、水分吸着体１１１が回転するとともに、除湿処理ファン１２５および再生ファン１３５が駆動する。また、圧縮機１２６で圧縮された冷媒が冷媒循環回路Ｌ３を循環し、加熱源１３６で加熱された湯がポンプ１３７の作用により熱媒体循環回路Ｌ４を流れる。
【００５０】
除湿処理ファン１２５の駆動により、外気が外気取入口１２１を通じて取り入れられ、取り入れられた外気は、冷却器１２３に至る。冷却器１２３に至った外気は、該冷却器１２３の内部を流れる冷媒が蒸発することにより冷却され、水分吸着領域１２４に至る。その一方、除湿処理ファン１２５の駆動により、店舗１の内部の室内空気が空気取入口を通じて取り入れられ、取り入れられた室内空気は、還気導入経路Ｒ１を通過して還気取入口１２９に至る。
【００５１】
水分吸着領域１２４において、冷却器１２３で冷却された外気、すなわち湿潤空気は、水分吸着体１１１を通過することにより水分が吸着され、これにより、外気の湿度が低下する。すなわち外気は除湿される。また、水分吸着体１１１の水分吸着領域１２４に対応する部分に吸着された水分は、水分吸着体１１１の回転とともに、水分吸着領域１２４から水分放出領域１３４に移動する。
【００５２】
水分吸着領域１２４で除湿された外気は、除湿処理ファン１２５の駆動により下流側に流れ、還気導入経路Ｒ１を通過し還気取入口１２９に至った室内空気と混合して混合拡散されて所定の温湿度に調整された後、混合空気として空気吐出口１２２を通じて店舗１の内部に供給される。
【００５３】
一方、再生ファン１３５が駆動することにより、再生空気取入口１３１を通じて空気（外気）が取り入れられ、取り入れられた空気は、加熱器１３３に至る。加熱器１３３に至った空気は、加熱器１３３の内部を流れる湯により加熱されて高温度の空気になり、水分放出領域１３４に至る。
【００５４】
水分放出領域１３４において、加熱器１３３で加熱された空気が通過することにより、水分吸着体１１１の対応する部分から水分が放出され、該空気の湿度が上昇する。その後、水分放出領域１３４を通過した空気は、再生ファン１３５の駆動により、再生空気吐出口１３２を通じて外部に送出される。
【００５５】
水分吸着体１１１の水分放出領域１３４に対応する部分は、水分が放出されて乾燥するとともに、温度が上昇する。この温度が上昇し、かつ乾燥した水分吸着体１１１の対応部分は、水分吸着体１１１の回転とともに、水分放出領域１３４から水分吸着領域１２４に移動し、上述した動作を繰り返す。
【００５６】
つまり、上記除湿空調装置１００において、除湿処理ユニット１２０は、導入した外気を冷却器１２３で冷却し、冷却した外気を水分吸着領域１２４に通過させることにより水分吸着体１１１に水分を吸着させて除湿し、除湿した空気に還気導入経路Ｒ１を通じて別個に導入した店舗１の内部の室内空気を混合して該店舗１の内部に供給している。また、再生処理ユニット１３０は、外気を加熱して水分放出領域１３４に通過させることにより水分吸着体１１１から水分を放出させている。
【００５７】
そして、上述したように除湿器１１０を構成する水分吸着体１１１は、吸湿性粒子Ａおよび吸湿性粒子Ｂの少なくとも一つを含有して成る混抄紙を加工して構成されるので、例えば８０℃以下の比較的低い温度で水分を放出することが可能になるとともに、吸湿速度も良好なものとなる。したがって、水分吸着領域１２４を通過する空気の水分を良好に吸着して除湿しながら、水分放出領域１３４を通過する空気の温度を比較的低いものとすることができる。
【００５８】
以上説明したように、本発明の実施の形態における除湿器１１０によれば、水分吸着体１１１が、吸湿性粒子Ａおよび吸湿性粒子Ｂの少なくとも一つを含有して成る混抄紙を加工して構成されているので、水分放出領域１３４を通過する空気が比較的低温であっても良好に水分を放出することができ、これにより、省エネルギー化を図ることができる。
【００５９】
上記除湿器１１０によれば、水分吸着体１１１は、吸湿性粒子と有機繊維とが混合されたスラリーを抄紙して形成されてなる混抄紙を加工してコルゲートハニカム状に形成されてなるので、従来のように５００℃以上で焼成して製造する必要がなく、製造工程においても省エネルギー化を図ることができる。
【実施例】
【００６０】
以下に本発明における実施例を比較例とともに説明する。
【００６１】
・実施例１
平均粒子径２．７μｍの吸湿性粒子Ａ（カチオンがランタノイドに置換されたゼオライト：ユニオン昭和（株）社製）と木材パルプと、バインダ樹脂および水とを混合してスラリーを作成し、このスラリーを丸網抄紙機で混合抄紙して、目付けが１００ｇ／ｍ2の混抄紙を製作した。尚、スラリーの固形分中における吸湿性粒子Ａの混合割合は６０質量％であった。製作した混抄紙を加工してコルゲートハニカム構造を有する円板状の水分吸着体（１１１）を作製した。ここに、水分吸着体（１１１）の直径は３００ｍｍである。
【００６２】
・実施例２
平均粒子径５．０μｍの吸湿性粒子Ｂ（表面がヒドロキシル基に置換された活性炭：クラレケミカル（株）社製）と木材パルプと、バインダ樹脂および水とを混合してスラリーを作成し、このスラリーを丸網抄紙機で混合抄紙して、目付けが１００ｇ／ｍ2の混抄紙を製作した。尚、スラリーの固形分中における吸湿性粒子Ｂの混合割合は６０質量％であった。製作した混抄紙を加工してコルゲートハニカム構造を有する円板状の水分吸着体（１１１）を作製した。ここに、水分吸着体（１１１）の直径は３００ｍｍである。
【００６３】
・比較例１
平均粒子径５．０μｍのシリカゲルと木材パルプと、バインダ樹脂および水とを混合してスラリーを作成し、このスラリーを丸網抄紙機で混合抄紙して、目付けが１００ｇ／ｍ2の混抄紙を製作した。製作した混抄紙を加工してコルゲートハニカム構造を有する円板状の水分吸着体（１１１）を作製した。ここに、水分吸着体（１１１）の直径は３００ｍｍである。
【００６４】
実施例１の水分吸着体（１１１）を有する除湿器Ａ、実施例２の水分吸着体（１１１）を有する除湿器Ｂ、比較例１の水分吸着体（１１１）を有する除湿器Ｃを次のような条件下で除湿量を測定し、図６に示すような結果を得た。ここで、実験条件は、水分吸着領域１２４を通過する空気の流量は８０ｍ3／ｈ、水分吸着領域１２４を通過する空気の温度は２５℃、該空気の絶対湿度は１３〜１４ｇ／ｋｇ−ＤＡ（Dry  Air）、水分放出領域１３４を通過する空気の温度は５０℃とした。
【００６５】
図６に示された結果より、実施例１および実施例２の水分吸着体（１１１）を有する除湿器Ａおよび除湿器Ｂの除湿量（ｇ／ｋｇ−ＤＡ）は５．０以上であり、これにより、５０℃の温度でも十分に水分を放出することができることが理解される。
【産業上の利用可能性】
【００６６】
以上のように、本発明は、例えばスーパーマーケット、コンビニエンスストア、ショッピングセンター等の店舗内への外気導入による換気、除湿、空気調和の各機能を有する除湿空調装置に有用である。
【図面の簡単な説明】
【００６７】
【図１】本発明の実施の形態における除湿器を備える除湿空調装置１００の構成を模式的に示した模式図である。
【図２】図１における除湿器の要部（水分吸着体）の一部を拡大して示した説明図である。
【図３】吸湿性粒子の吸湿特性についての実験結果を示す図表である。
【図４】吸湿性粒子の吸湿特性についての実験結果を示す図表である。
【図５】吸湿性粒子の吸湿特性についての実験結果を示す図表である。
【図６】本発明の実施例の実験結果を示す図表である。
【符号の説明】
【００６８】
１００      除湿空調装置
１１０      除湿器
１１１      水分吸着体
１２４      水分吸着領域
１３４      水分放出領域
【図１】
2008086870.tif 000003
【図２】
2008086870.tif 000004
【図３】
2008086870.tif 000005
【図４】
2008086870.tif 000006
【図５】
2008086870.tif 000007
【図６】
2008086870.tif 000008